(57)【要約】【課題】非接触型の眼内観察レンズを用いた眼科手術において、眼内観察レンズにくもりが発生し、視認性が悪化する場合がある。【解決手段】眼球の内部を観察するために使用され、かつ、使用時に眼球から離した状態で配置される非接触型の眼内観察レンズに装着されるレンズ装着器具１０である。レンズ装着器具１０は、眼球と眼内観察レンズとの間の空間に対して、空気を吸引する複数の通気孔１６Ａ〜１６Ｆ、１８Ａ〜１８Ｆが形成された把持部１２を有する。【選択図】図２
2014124277.tif 000002
【特許請求の範囲】
【請求項１】
眼球の内部を観察するために使用され、かつ、使用時に前記眼球から離した状態で配置される非接触型の眼内観察レンズに装着されるレンズ装着器具であって、
前記レンズ装着器具は、前記眼球と前記眼内観察レンズとの間の空間に対して、空気を吸引する吸引部または空気を吹き出す吹き出し部を有する
ことを特徴とするレンズ装着器具。
【請求項２】
前記吸引部または前記吹き出し部は、前記眼球と前記眼内観察レンズとの間の空間に面して開口する、少なくとも一つの通気孔によって構成されている
ことを特徴とする請求項１に記載のレンズ装着器具。
【請求項３】
前記レンズ装着器具は、前記眼内観察レンズに対して着脱可能に構成されている
ことを特徴とする請求項１または２に記載のレンズ装着器具。
【請求項４】
前記通気孔は、前記レンズ装着器具を前記眼内観察レンズに装着した状態で前記眼球の内部を観察する場合に、下向きに若しくは横向きにまたはその両方に開口するように形成されている
ことを特徴とする請求項２または３に記載のレンズ装着器具。
【発明の詳細な説明】
【技術分野】
【０００１】
本発明は、非接触型の眼内観察レンズに装着されるレンズ装着器具に関する。
【背景技術】
【０００２】
近年、網膜・硝子体手術などの眼科手術には、顕微鏡を用いた広角観察システムが導入されている。このシステムは、眼球の内部（以下「眼内」ともいう。）に広い視野を確保することができるため、患部の位置や状態などの把握が容易になるという利点を有する。広角観察システムは、眼内を観察するために使用される眼内観察レンズ（「前置レンズ」とも呼ばれる）の配置状態の違いにより２つの型式に大別される。一つは「接触型」と呼ばれるもので、もう一つは「非接触型」と呼ばれるものである。このうち、接触型の広角観察システムでは、眼内観察レンズを眼球に接触させた状態に配置し、非接触型の広角観察システムでは、眼内観察レンズを眼球から離した状態に配置する。本書では、接触型および非接触型の広角観察システムにおいて、眼内を観察する場合に用いる眼内観察レンズのうち、眼球に接触させて用いる眼内観察レンズを「接触型の眼内観察レンズ」といい、眼球に接触させずに（換言すると、眼球から離して）用いる眼内観察レンズを「非接触型の眼内観察レンズ」という。
【０００３】
上述した非接触型の広角観察システムは、接触型のものと比べて幾つかの利点を有する。たとえば、接触型の広角観察システムでは、眼球を回転させたときに、眼内観察レンズの周辺部を通して眼内を観察することになる。このため、観察像の歪みが大きくなってしまう。これに対して、非接触型の広角観察システムでは、眼球を回転させたときでも眼内観察レンズの中央部を通して眼内を観察することになる。このため、歪みの少ない良好な観察像が得られる。従来、広角観察システムではないが、非接触型の眼内観察レンズを用いた手術用顕微鏡として、たとえば、特許文献１に記載されたものが知られている。
【先行技術文献】
【特許文献】
【０００４】
【特許文献１】特開２００５−１６１０９９号公報
【発明の概要】
【発明が解決しようとする課題】
【０００５】
しかしながら、非接触型の眼内観察レンズを用いた眼科手術では、手術中に眼内観察レンズにくもりが生じる場合があった。特に、非接触型の広角観察システムでは、眼内を広角に観察するときに眼内観察レンズを眼球に近づけるため、眼内観察レンズにくもりが発生しやすい状況になる。実際に眼内観察レンズにくもりが発生すると、観察像の鮮明さが損なわれる。このため、くもりの度合いによっては手術を中断し、眼内観察レンズのくもりを取り除く必要がある。
【０００６】
本発明の主な目的は、非接触型の眼内観察レンズを用いた眼科手術において、眼内観察レンズのくもりの発生を抑制することができる技術を提供することにある。
【課題を解決するための手段】
【０００７】
本発明の第１の態様は、
眼球の内部を観察するために使用され、かつ、使用時に前記眼球から離した状態で配置される非接触型の眼内観察レンズに装着されるレンズ装着器具であって、
前記レンズ装着器具は、前記眼球と前記眼内観察レンズとの間の空間に対して、空気を吸引する吸引部または空気を吹き出す吹き出し部を有する
ことを特徴とするレンズ装着器具である。
【０００８】
本発明の第２の態様は、
前記吸引部または前記吹き出し部は、前記眼球と前記眼内観察レンズとの間の空間に面して開口する、少なくとも一つの通気孔によって構成されている
ことを特徴とする上記第１の態様に記載のレンズ装着器具である。
【０００９】
本発明の第３の態様は、
前記レンズ装着器具は、前記眼内観察レンズに対して着脱可能に構成されている
ことを特徴とする上記第１または第２の態様に記載のレンズ装着器具である。
【００１０】
本発明の第４の態様は、
前記通気孔は、前記レンズ装着器具を前記眼内観察レンズに装着した状態で前記眼球の内部を観察する場合に、下向きに若しくは横向きにまたはその両方に開口するように形成されている
ことを特徴とする上記第２または第３の態様に記載のレンズ装着器具である。
【発明の効果】
【００１１】
本発明によれば、非接触型の眼内観察レンズを用いた眼科手術において、眼内観察レンズのくもりの発生を抑制することができる。
【図面の簡単な説明】
【００１２】
【図１】非接触型の広角観察システムの構成例を示す概略図である。
【図２】本発明の第１の実施の形態に係るレンズ装着器具の構成を示す三面図である。
【図３】図３（Ａ）は図２のａ−ａ断面図であり、同（Ｂ）は図２のｂ−ｂ断面図である。
【図４】レンズ装着器具の使用方法を説明する図である（その１）。
【図５】レンズ装着器具の使用方法を説明する図である（その２）。
【図６】本発明の第２の実施の形態に係るレンズ装着器具の構成を示す三面図である。
【図７】図７（Ａ）は図６のａ−ａ断面図であり、同（Ｂ）は図６のｂ−ｂ断面図である。
【図８】レンズ装着器具の他の形態を説明する図である。
【発明を実施するための形態】
【００１３】
以下、本発明の実施の形態について図面を参照しつつ詳細に説明する。
本発明の実施の形態においては、次の順序で説明を行う。
１．非接触型の広角観察システムの概要
２．本発明の第１の実施の形態に係るレンズ装着器具の構成
３．本発明の第１の実施の形態に係るレンズ装着器具の使用方法
４．本発明の第１の実施の形態に係る効果
５．本発明の第２の実施の形態に係るレンズ装着器具の構成
６．本発明の第２の実施の形態に係るレンズ装着器具の使用方法
７．本発明の第２の実施の形態に係る効果
８．変形例等
【００１４】
＜１．非接触型の広角観察システムの概要＞
図１は非接触型の広角観察システムの構成例を示す概略図である。この広角観察システムは、眼科手術用顕微鏡を用いて構成されるものであり、大きくは、眼科手術用顕微鏡の鏡筒部１と、像変換装置（不図示）と、レンズホルダー（不図示）と、レンズ組立体２とを備える。眼科手術用顕微鏡は、上述した鏡筒部１の他に、図示しない接眼レンズなどを備える。鏡筒部１は図示しない対物レンズを備える。像変換装置は、倒立像を正立像に変換するものである。レンズホルダーは、レンズ組立体２を保持するものである。このレンズホルダーは、後述する眼内観察レンズを用いて眼内を観察する場合に、鏡筒部１の対物レンズから予め決められた距離を隔てた光軸上に眼内観察レンズを配置するようにレンズ組立体２を保持する。
【００１５】
レンズ組立体２は、眼内観察レンズ３と、レンズ支持部材４とによって構成されている。上述したレンズホルダーにレンズ組立体２を装着して眼内観察レンズ３を用いる場合、この眼内観察レンズ３は、患者の眼球５と鏡筒部１との間に配置される。眼内観察レンズ３は、円形の凸レンズで構成されている。眼内観察レンズ３は、レンズ支持部材４に固定状態で支持されている。レンズ支持部材４は、眼内観察レンズ３を把持するリング部６と、このリング部６の一部から延出したスティック部７と、このスティック部７の延出端から屈曲した取付部８とを一体に有している。
【００１６】
リング部６は、眼内観察レンズ３の外周形状に対応して円形に形成されている。眼内観察レンズ３は、リング部６の内側に嵌め込まれるかたちでレンズ支持部材４に固定されている。スティック部７は、リング部６から真っ直ぐに延出するように棒状に形成されている。取付部８は、上述したレンズホルダーにレンズ組立体２を装着するにあたって、レンズホルダーに着脱可能に取り付けられる部分である。具体的な取付構造としては、たとえば、ネジ式、クリップ式などを採用可能である。レンズホルダーに対してレンズ組立体２を着脱可能とする理由は、レンズ径や加入度数等が異なる眼内観察レンズ３を有するレンズ組立体２を複数用意し、その中から所望の眼内観察レンズ３を有するレンズ組立体２を術者が選択または交換して使用できるようにするためである。ただし、本発明を実施するにあたっては、必ずしもレンズ組立体２が着脱可能となっている必要はない。
【００１７】
上記構成からなる広角観察システムにおいては、鏡筒部１内の対物レンズとレンズ組立体２の眼内観察レンズ３とが同一の光軸上に配置され、これらのレンズを通して眼球５の内部が観察される。その際、レンズ組立体２の眼内観察レンズ３は、眼球５の直上に配置されるとともに、眼球５から離した状態に配置される。また、対物レンズおよび眼内観察レンズ３を通して得られる倒立像は、像変換装置によって正立像に変換される。このため、眼科手術用顕微鏡の接眼レンズを覗く術者は、この正立像を眼内の観察像として視認することになる。
【００１８】
＜２．本発明の第１の実施の形態に係るレンズ装着器具の構成＞
図２は本発明の第１の実施の形態に係るレンズ装着器具の構成を示す三面図であり、図中（Ａ）は側面図、（Ｂ）は背面図、（Ｃ）は下面図を示している。また、図３（Ａ）は図２のａ−ａ断面図であり、同（Ｂ）は図２のｂ−ｂ断面図である。図示したレンズ装着器具１０は、上述した眼内観察レンズ３に間接的に装着されるものである。ここで記述する「間接的に装着される」とは、眼内観察レンズ３との間に当該レンズ以外の部材が介在した状態で、眼内観察レンズ３に装着されることをいう。典型的には、眼内観察レンズ３に直接接触しない状態で装着されることをいう。本形態例では、レンズ組立体２の構造上、眼内観察レンズ３がレンズ支持部材４のリング部６に固定されているため、このリング部６を介してレンズ装着器具１０が眼内観察レンズ３に装着されるようになっている。
【００１９】
レンズ装着器具１０は、たとえば、樹脂、金属等を用いて構成されている。レンズ装着器具１０を樹脂で構成する場合は、たとえば、ＰＭＭＡ（ポリメタクリル酸メチル樹脂）等のアクリル樹脂を好適に用いることができる。レンズ装着器具１０は、内部に中空部１１を有する構造（中空構造）になっている。レンズ装着器具１０は、二股状に分かれた把持部１２（１２Ａ，１２Ｂ）と、この把持部１２の中間部に形成されたヒンジ部１３と、このヒンジ部１３に設けられたチューブ接続部１４とを一体に有している。
【００２０】
把持部１２は、リング部６にレンズ装着器具１０を装着する場合に、眼内観察レンズ３の外周の一部を囲む状態で、リング部６をレンズ装着器具１０自身の弾性により挟み込むように把持するものである。把持部１２は、一対のアーム部１２Ａ，１２Ｂによって構成されている。アーム部１２Ａ，１２Ｂは、それぞれ円弧状に形成されている。把持部１２全体では平面視半円形（Ｃ字形）に形成されている。把持部１２は、円周方向に１８０°よりも大きな角度範囲（図例では約２２０°の範囲）で形成されている。各々のアーム部１２Ａ，１２Ｂの曲率半径は、上述したリング部６の外径（直径）の１／２相当に設定されている。
【００２１】
アーム部１２Ａには、３つの突起部１５（１５Ａ〜１５Ｃ）と、６つの通気孔１６（１６Ａ〜１６Ｆ）とが形成されている。突起部１５Ａ〜１５Ｃは、リング部６にレンズ装着器具１０を装着する場合に、リング部６を上下で挟むように配置されることにより、リング部６とレンズ装着器具１０の相対的な上下動を抑制するものである。そのため、突起部１５Ａ〜１５Ｃは、アーム部１２Ａの内周面からそれぞれ半円形に突出する状態で形成されている。また、突起部１５Ａ，１５Ｃはアーム部１２Ａの下縁部に形成され、突起部１５Ｂはアーム部１２Ａの上縁部に形成されている。
【００２２】
６つの通気孔１６Ａ〜１６Ｆは、レンズ装着器具１０が備える「吸引部」を構成するものである。吸引部は、眼球５と眼内観察レンズ３との間の空間に対して、空気を吸引するものである。各々の通気孔１６Ａ〜１６Ｆは、アーム部１２Ａの底壁を貫通する状態で、アーム部１２Ａの下面に形成されている。各々の通気孔１６Ａ〜１６Ｆの孔径および間隔は、それぞれ均一に設定されている。一例を記述すると、各々の通気孔１６Ａ〜１６Ｆの孔径（直径）は、いずれも０．５ｍｍに設定されている。また、円周方向で隣り合う通気孔１６Ａ〜１６Ｆの間隔（角度ピッチ）は、それぞれ１５°に設定されている。レンズ装着器具１０を眼内観察レンズ３に装着して眼球５の内部を観察する場合、各々の通気孔１６Ａ〜１６Ｆは、眼球５と眼内観察レンズ３との間の空間に面して開口するとともに、眼球５に対向するように下向きに開口する状態となる。
【００２３】
上述したアーム部１２Ａと同様に、アーム部１２Ｂにも、３つの突起部１７（１７Ａ〜１７Ｃ）と、６つの通気孔１８（１８Ａ〜１８Ｆ）とが形成されている。
【００２４】
ヒンジ部１３は、上述したレンズ支持部材４のスティック部７との位置的な干渉を避けるように、略Ｖ字形に形成されている。また、把持部１２を構成する一対のアーム部１２Ａ，１２Ｂは、ヒンジ部１３を支点に若干開閉できるようになっている。把持部１２とヒンジ部１３は、内部の中空部１１を含めて連続的につながっている。
【００２５】
チューブ接続部１４は、図示しないチューブ（たとえば、シリコーンチューブなど）が接続される部分である。チューブ接続部１４は、これに接続されるチューブの抜け止め作用をなすように、断面円形の段付き構造になっている。さらに詳述すると、チューブ接続部１４は、先細のテーパー部１４Ａと、このテーパー部１４Ａとの境界に段差を形成する根元部１４Ｂとを有している。そして、チューブ接続部１４にチューブを接続する場合は、このチューブをテーパー部１４Ａの先端側から段差を超えて根元部１４Ｂまで挿入することにより、段差の部分がチューブの内面に食い込んで抜け止めがなされるようになっている。
【００２６】
チューブ接続部１４は、ヒンジ部１３の中間部（屈曲部分）に設けられている。チューブ接続部１４は、上述した中空部１１に通じている。さらに詳述すると、チューブ接続部１４の内部には、その中心軸に沿って断面円形の通し孔１４Ｃが設けられ、この通し孔１４Ｃが中空部１１に空間的につながっている。チューブ接続部１４は、ヒンジ部１３の上面からレンズ装着器具１０の厚み方向（上方）に突出する状態で形成されている。
【００２７】
＜３．本発明の第１の実施の形態に係るレンズ装着器具の使用方法＞
上記構成からなるレンズ装着器具１０を使用する場合は、このレンズ装着器具１０をレンズ組立体２に装着する。その際、レンズ装着器具１０を図４に示す矢印方向からレンズ組立体２に押し込む。そうすると、図５（Ａ）の側面図および同（Ｂ）の下面図に示すように、一対のアーム部１２Ａ，１２Ｂがリング部６を両側から挟み込むように把持する状態となる。このとき、レンズ装着器具１０をレンズ組立体２に押し込む途中で、一対のアーム部１２Ａ，１２Ｂがリング部６の外周面に接触しつつヒンジ部１３を支点に一旦押し開かれるが、最終的にはリング部６の外周形状に沿って一対のアーム部１２Ａ，１２Ｂがリング部６に接触した状態となる。また、各々のアーム部１２Ａ，１２Ｂに３つずつ設けられた突起部１５Ａ〜１５Ｃおよび突起部１７Ａ〜１７Ｃのうち、突起部１５Ａ，１５Ｃおよび１７Ａ，１７Ｃはそれぞれリング部６の下面に引っ掛かり、かつ突起部１５Ｂおよび１７Ｂはそれぞれリング部６の上面に引っ掛かるかたちで、リング部６とレンズ装着器具１０の相対的な上下動が抑制される。なお、レンズ装着器具１０をレンズ組立体２から取り外す場合は、上記図４に示す矢印方向と反対方向にレンズ装着器具１０を引き込めばよい。
【００２８】
また、レンズ装着器具１０を装着する場合は、図示しないチューブをチューブ接続部１４に接続する。このチューブは、空気の吸引用のポンプ、典型的には真空ポンプにつながるものである。チューブを接続する作業は、レンズ装着器具１０をレンズ組立体２に装着する前に行ってもよいし、装着した後に行ってもよい。また、レンズ組立体２にレンズ装着器具１０を装着する作業についても、レンズ組立体２をレンズホルダーに装着する前に行ってもよいし、装着した後に行ってもよい。
【００２９】
実際の眼科手術で広角観察システムにより眼内を観察する場合は、眼球５の直上に眼内観察レンズ３を配置するとともに、観察の対象部位（たとえば、眼底など）に焦点が合うように鏡筒部１および眼内観察レンズ３の位置を調整する。また、チューブ接続部１４に接続されたチューブにつながる真空ポンプのスイッチを入れて真空引きを開始する。そうすると、チューブ接続部１４に接続されたチューブを通してレンズ装着器具１０の中空部１１の空気が真空ポンプに吸引される。また、レンズ装着器具１０内の空気が吸引されると、各々のアーム部１２Ａ，１２Ｂに形成された通気孔１６Ａ〜１６Ｆおよび１８Ａ〜１８Ｆから中空部１１内に空気が吸い込まれる。このとき、各々の通気孔１６Ａ〜１６Ｆおよび１８Ａ〜１８Ｆに吸引される空気には、眼球５と眼内観察レンズ３との間の空間に存在する空気が含まれる。
【００３０】
＜４．本発明の第１の実施の形態に係る効果＞
本発明の第１の実施の形態によれば、以下のような効果が得られる。
まず、眼内観察レンズ３にくもりが生じる主な原因は、眼球５の角膜や結膜から蒸発した水分（水蒸気）が眼内観察レンズ３の表面（以下「下面」ともいう。）に付着し、そこで結露することにある。このため、眼球５と眼内観察レンズ３との間の空間には、眼球５の角膜や結膜から蒸発した水分が含まれる。したがって、レンズ装着器具１０のチューブ接続部１４に接続されたチューブにつながる真空ポンプで真空引きすると、その水分が、そこに存在する空気と一緒に各々の通気孔１６Ａ〜１６Ｆおよび１８Ａ〜１８Ｆから吸引される。これにより、眼球５から蒸発する水分が眼内観察レンズ３に付着しにくくなるため、眼内観察レンズ３のくもりの発生を抑制することができる。また、患者の呼気による眼内観察レンズ３のくもりについても有効に抑制することができる。
【００３１】
特に、第１の実施の形態においては、各々の通気孔１６Ａ〜１６Ｆおよび１８Ａ〜１８Ｆを下向きに開口するように形成しているため、眼球５から上昇してくる水蒸気を、通気孔１６Ａ〜１６Ｆおよび１８Ａ〜１８Ｆに吸引される空気の流れに乗せて効率よく捕集することができる。このため、眼内観察レンズ３のくもりを効果的に抑制することができる。
【００３２】
また、レンズ組立体２に対してレンズ装着器具１０を着脱可能に構成しているため、複数のレンズ組立体２にレンズ装着器具１０を付け替えて使用することができる。具体的には、たとえば、把持部１２が嵌め込まれるリング部６の外周部の寸法が共通で、そこに取り付けられる眼内観察レンズ３の度数が異なる別のレンズ組立体２にレンズ装着器具１０を付け替えて使用することができる。
【００３３】
また、レンズ組立体２にレンズ装着器具１０を装着した場合に、両者の相対的な位置関係が一定になるため、たとえば、鏡筒部１の上下動により眼球５から眼内観察レンズ３までの寸法が変わっても、眼内観察レンズ３と各々の通気孔１６Ａ〜１６Ｆおよび１８Ａ〜１８Ｆとの相対位置を一定に保つことができる。このため、各々の通気孔１６Ａ〜１６Ｆおよび１８Ａ〜１８Ｆからの空気の吸引によって、眼内観察レンズ３のくもり止めの効果を安定期に発揮させることができる。
【００３４】
＜５．本発明の第２の実施の形態に係るレンズ装着器具の構成＞
図６は本発明の第２の実施の形態に係るレンズ装着器具の構成を示す三面図であり、図中（Ａ）は側面図、（Ｂ）は背面図、（Ｃ）は下面図を示している。また、図７（Ａ）は図６のａ−ａ断面図であり、同（Ｂ）は図６のｂ−ｂ断面図である。図示したレンズ装着器具１０は、上述した第１の実施の形態と比較して、通気孔１６（１６Ａ〜１６Ｆ）および１８（１８Ａ〜１８Ｆ）の孔位置、孔形状および孔径と、使用するポンプの形態が異なり、それ以外の構成は共通する。このため、ここでは通気孔１６，１８の形態についてのみ説明する。なお、図６においては、一対のアーム部１２Ａ，１２Ｂにそれぞれ４つずつ突起部１５、１７（１５Ａ〜１５Ｄ、１７Ａ〜１７Ｄ）が形成されているが、この個数は上記第１の実施の形態と同様に３つでもかまわない。また、レンズ装着器具１０をレンズ組立体２に装着した状態では、図７（Ｂ）に示すように、通気孔１６（図では１６Ｃのみ表示）がリング部６で塞がれないように、突起部１５（図では１５Ｂのみ表示）の形成位置に対応するリング部６の一部に段差が設けられている。
【００３５】
通気孔１６Ａ〜１６Ｆおよび１８Ａ〜１８Ｆは、レンズ装着器具１０が備える「吹き出し部」を構成するものである。吹き出し部は、眼球５と眼内観察レンズ３との間の空間に対して、空気を吹き出すものである。通気孔１６Ａ〜１６Ｆおよび１８Ａ〜１８Ｆは、それぞれに対応するアーム部１２Ａ，１２Ｂの内側壁を貫通する状態で、アーム部１２Ａ，１２Ｂの内周面に形成されている。このため、各々の通気孔１６Ａ〜１６Ｆおよび１８Ａ〜１８Ｆは、アーム部１２Ａ，１２Ｂが沿う円弧の中心に対向するように、横向き（内向き）に開口している。また、各々の通気孔１６Ａ〜１６Ｆおよび１８Ａ〜１８Ｆは、眼球５と眼内観察レンズ３との間の空間に面して開口している。
【００３６】
また、円周方向における通気孔１６Ａ〜１６Ｆおよび１８Ａ〜１８Ｆの間隔は、上記第１の実施の形態と同様に設定されているが、各々の孔形状は、円形ではなく、四角形に形成されている。また、各々の孔径は、異なる寸法に設定されている。具体的には、ヒンジ部１３から各アーム部１２Ａ，１２Ｂの先端部に向かって、孔径が段階的に大きくなるように、四角形の孔の縦寸法を一定にして横寸法を段階的に大きく設定している。一例を記述すると、通気孔１６Ａ，１８Ａの孔径（縦寸法×横寸法）は０．５ｍｍ×０．５ｍｍ、通気孔１６Ｂ，１８Ｂの孔径は０．５ｍｍ×０．６ｍｍ、通気孔１６Ｃ，１８Ｃの孔径は０．５ｍｍ×０．７ｍｍ、通気孔１６Ｄ，１８Ｄの孔径は０．５ｍｍ×０．８ｍｍ、通気孔１６Ｅ，１８Ｅの孔径は０．５ｍｍ×０．９ｍｍ、通気孔１６Ｆ，１８Ｆの孔径は０．５ｍｍ×１．０ｍｍに設定されている。
【００３７】
また、中空部１１に通じるチューブ接続部１４には、上記第１の実施の形態と同様にチューブが接続されるが、このチューブは、空気の吹き出し用のポンプ、典型的には圧縮ポンプにつながるチューブとなっている。この圧縮ポンプからチューブを通してレンズ装着器具１０に供給される空気は、乾燥した空気とする。
【００３８】
＜６．本発明の第２の実施の形態に係るレンズ装着器具の使用方法＞
上記構成からなるレンズ装着器具１０を使用する場合は、レンズ装着器具１０をレンズ組立体２に装着し、かつ、チューブ接続部１４にチューブを接続した状態で、圧縮ポンプのスイッチを入れて圧縮空気の供給を開始する。そうすると、レンズ装着器具１０のチューブ接続部１４に接続されたチューブを通してレンズ装着器具１０の中空部１１に圧縮空気が導入される。また、レンズ装着器具１０内に圧縮空気が導入されると、各々のアーム部１２Ａ，１２Ｂに形成された通気孔１６Ａ〜１６Ｆおよび１８Ａ〜１８Ｆから空気が吹き出す。このとき、各々の通気孔１６Ａ〜１６Ｆおよび１８Ａ〜１８Ｆからは、眼内観察レンズ３の下面に沿う方向で空気が吹き出す。
【００３９】
＜７．本発明の第２の実施の形態に係る効果＞
本発明の第２の実施の形態によれば、以下のような効果が得られる。
すなわち、眼球５に対向する眼内観察レンズ３の下面付近に、各々の通気孔１６Ａ〜１６Ｆおよび１８Ａ〜１８Ｆからの空気の吹き出しにより、空気流が形成される。このため、眼球５から上昇してくる水蒸気が、眼内観察レンズ３に到達する手前で、空気流によって押し流される。つまり、眼球５から眼内観察レンズ３に向かう水蒸気に対して、空気流が防壁となって作用する。これにより、眼球５から蒸発する水分が眼内観察レンズ３に付着しにくくなるため、眼内観察レンズ３のくもりの発生を抑制することができる。また、患者の呼気による眼内観察レンズ３のくもりについても有効に抑制することができる。
【００４０】
また、圧縮ポンプを供給源としてレンズ装着器具１０に導入される空気（乾燥した圧縮空気）は、必要に応じて、手術室の室温以上に加温された空気としてもよい。その場合は、仮に眼球５から蒸発した水分が眼内観察レンズ３の下面に付着しても、これを加温空気で素早く乾燥させて良好な視野を維持することができる。
【００４１】
また、第２の実施の形態においては、各々の通気孔１６Ａ〜１６Ｆおよび１８Ａ〜１８Ｆを横向きに開口するように形成しているため、各々の通気孔１６Ａ〜１６Ｆおよび１８Ａ〜１８Ｆから吹き出した空気が直接、眼球５の角膜に吹き付けられることがない。このため、角膜の乾燥に伴う観察像の画質劣化を抑制することができる。
【００４２】
また、角膜の乾燥に関しては、次のような優位性もある。すなわち、眼科手術では角膜の乾燥を防ぐために、角膜に液体（たとえば、粘弾性物質や生理食塩水など）を供給している。このため、角膜が乾燥しやすい状況では、短い周期で液体を供給する必要がある。これに対して、上述のように眼球５に向かう方向とは異なる方向に空気を吹き出す構成とすれば、角膜の乾燥をそれほど助長せずに済む。
また、眼科手術のときに用いられる開瞼器の中には、灌流液などの液体を吸引するための小さな吸引孔を有するものがある。この種の開瞼器を用いる場合に、吸引孔から液体と一緒に空気を吸引することにより、眼内観察レンズ３のくもりを抑制することも考えられる。しかし、液体と一緒に空気を吸引する場合は、吸引孔から断続的（液体と交互）に空気を吸引することになるため、水蒸気の上昇を十分に抑えることができない。このため、吸引孔のあいた開瞼器を使用してくもり止めの効果を得るには、かなり強い力で吸引する必要がある。ただし、吸引力を強くすると、以下のような不具合を招くおそれがある。
【００４３】
まず、吸引孔から強い力で液体と空気を一緒に吸引しようとすると、ジュルジュルという大きな音が発生する。このため、術者や患者に嫌悪感を与えるおそれがある。特に、眼内の疾患に対して行われる眼科手術は繊細で高度な手技を要求されることが多く、手術中にそのような大きな音が発生すると術者の集中力を欠く要因にもなり得る。また、開瞼器の吸引孔が形成された部分は角膜のすぐそばに配置されるため、その吸引孔から強い力で空気を吸引すると角膜が乾燥しやすくなる。さらにその場合、角膜の乾燥を防ぐために頻繁に液体を供給する必要があり、眼内観察レンズ３の位置によってはその都度、手術の作業を中断する必要もある。これに対して、レンズ装着器具１０を用いた場合は、こうした不具合を招くことなく、眼内観察レンズ３のくもりを抑制することができる。
【００４４】
また、第２の実施の形態においては、各々の通気孔１６Ａ〜１６Ｆおよび１８Ａ〜１８Ｆの孔径を、チューブ接続部１４から各通気孔までの空気の流路長が長いほど大きくなるように設定している。このため、チューブ接続部１４から遠いところでは相対的に大きな通気孔から空気を吹き出し、近いところでは相対的に小さな通気孔から空気を吹き出すことになる。したがって、たとえば、すべての通気孔の孔径を同一に設定した場合に、レンズ装着器具１０内での圧力損失等により、各々の通気孔からの空気の吹き出し具合にバラツキが生じる場合に、このバラツキを小さくすることができる。
【００４５】
＜８．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。以下、具体的な変形例を列挙する。
【００４６】
上記第１の実施の形態においては、眼球５と眼内観察レンズ３との間の空間に対して、各々の通気孔１６Ａ〜１６Ｆおよび１８Ａ〜１８Ｆから空気を吸引する構成とし、上記第２の実施の形態においては、各々の通気孔１６Ａ〜１６Ｆおよび１８Ａ〜１８Ｆから空気を吹き出す構成としたが、本発明はこれに限らない。具体的には、上記第１の実施の形態において、使用するポンプを圧縮ポンプとし、この圧縮ポンプの駆動により、各々の通気孔１６Ａ〜１６Ｆおよび１８Ａ〜１８Ｆから空気を吹き出す構成としてよい。また、上記第２の実施の形態において、使用するポンプを真空ポンプとし、この真空ポンプの駆動により、各々の通気孔１６Ａ〜１６Ｆおよび１８Ａ〜１８Ｆから空気を吸引する構成としてもよい。また、レンズ装着器具１０の中空部１１を２系統に分けて、一方のアーム部１２Ａに形成された通気孔１６Ａ〜１６Ｆからは空気を吹き出し、他方のアーム部１２Ｂに形成された通気孔１８Ａ〜１８Ｆからは空気を吸引する構成としてもよい。
【００４７】
上記第１の実施の形態においては、その開口が下向きとなるように、把持部１２の下面に通気孔１６Ａ〜１６Ｆおよび１８Ａ〜１８Ｆを形成し、上記第２の実施の形態においては、その開口が横向きとなるように、把持部１２の内周面に通気孔１６Ａ〜１６Ｆおよび１８Ａ〜１８Ｆを形成したが、本発明はこれに限らない。たとえば、複数の通気孔のうち、一の通気孔が下向きに開口し、他の通気孔が横向きに開口するといった具合に、下向きおよび横向きの両方に通気孔が開口するように、把持部１２の下面と内周面に通気孔を形成してもよい。
【００４８】
上記第２の実施の形態においては、リング部６の外周面に接触する把持部１２の内周面と同一の面に通気孔１６Ａ〜１６Ｆおよび１８Ａ〜１８Ｆを形成しているが、本発明はこれに限らない。たとえば、図８（Ａ）〜（Ｃ）に示すように、把持部１２（１２Ａ，１２Ｂ）の内周面から内側（眼内観察レンズ３の中心側）に突出するように突出部１９を形成し、この突出部１９の先端に開口するように通気孔２０を形成してもよい。この構成を採用した場合は、観察像の視認性に顕著な影響を与える眼内観察レンズ３の中央部に効率的に空気を吹き付けることができる。このため、観察像の鮮明さを良好に維持することができる。ただし、図例のように突出部１９を眼内観察レンズ３の外周面よりも内側に突出させると、眼内観察レンズ３を通して眼球５の内部を観察するときに視野を妨げるおそれがある。このため、突出部１９の突出量は、視野を妨げない程度の量に制限する。
【００４９】
上記各実施の形態および図８の形態においては、レンズ組立体２とレンズ装着器具１０を別体で構成したが、これらを一体に構成し、この一体構成のレンズ装着器具が眼内観察レンズ３に直接的に装着される構成としてもよい。ここで記述する「直接的に装着される」とは、眼内観察レンズ３との間に当該レンズ以外の部材が介在しない状態で、眼内観察レンズ３に装着されることをいう。典型的には、眼内観察レンズ３に直接接触する状態で装着されることをいう。具体的には、レンズ組立体２を構成するレンズ支持部材４にレンズ装着器具１０の機能を持たせるべく、円形のリング部６に相当する部分を中空構造の把持部とし、その中空部に通じる通気孔からの空気の吸引または吹き出しにより、眼内観察レンズ３のくもりを抑制する構成を採用することが可能である。その場合は、眼内観察レンズ３の外周の全部が円形の把持部で囲まれた構成となる。この構成では、眼科手術の準備作業として、レンズ組立体２にレンズ装着器具１０を装着する作業を省略することができる。また、眼内観察レンズ３の外周面から外側にはみ出す部分の寸法を小さく抑え、そこに手術器具が接触しづらくすることができる。
【００５０】
ただし、レンズ組立体の構造（形状、寸法など）は、手術用顕微鏡を用いた広角観察システムを提供するメーカーごとに異なるため、レンズ組立体２にレンズ装着器具１０の機能を一体に組み込むには、現在提供されている広角観察システム（特に、レンズ支持部材４の構造など）に変更を加える必要がある。これに対して、上記実施の形態のように、レンズ組立体２のレンズ支持部材４にレンズ装着器具１０を装着する構成を採用した場合は、現在提供されている広角観察システムに変更を加えることなく、眼内観察レンズ３のくもり止め機能を追加することができる。その理由は、広角観察システムとして各メーカーから提供されるシステム構成要素の一つにレンズ組立体２が含まれるからである。
【００５１】
また、眼内観察レンズ３にレンズ装着器具１０を間接的に装着する場合は、手術中に眼内観察レンズ３のくもり止めの効果を良好に維持するために、両者の相対的な位置関係が一定になるようにレンズ装着器具１０を装着することが肝要である。これを実現するための具体的な形態としては、上述のようにレンズ組立体２にレンズ装着器具１０を装着する形態以外にも、たとえば、レンズ組立体２が装着されるレンズホルダーにこれに適合する形状・構造のレンズ装着器具を装着する形態も考えられる。ただし、レンズ装着器具の簡素化、小型化、軽量化などの観点で比較すると、レンズ組立体２にレンズ装着器具１０を装着する形態を採用したほうが好ましい。
【００５２】
上記各実施の形態においては、円周方向で隣り合う通気孔１６Ａ〜１６Ｆおよび１８Ａ〜１８Ｆの間隔を均一な間隔に設定しているが、本発明はこれに限らず、たとえば、チューブ接続部１４から各通気孔までの空気の流路長が長いほど間隔が狭くなる又は広くなるように設定してもよい。
【００５３】
その他、通気孔の形状、個数、間隔などを変更してもよいし、通気孔を１列ではなく２列以上の配列あるいは千鳥配列で形成してもよい。また、通気孔の断面形状も孔径が一様なストレート形状に限らず、孔径が連続的（または段階的）に変化するテーパー形状に形成してもよい。
また、本発明に係るレンズ装着器具は、非接触型の眼内観察レンズ全般に広く適用することが可能である。
【符号の説明】
【００５４】
２…レンズ組立体
３…眼内観察レンズ
４…レンズ支持部材
５…眼球
６…リング部
１０…レンズ装着器具
１１…中空部
１２…把持部
１４…チューブ接続部
１６，１８，２０…通気孔
１９…突出部
【図１】
2014124277.tif 000003
【図２】
2014124277.tif 000004
【図３】
2014124277.tif 000005
【図４】
2014124277.tif 000006
【図５】
2014124277.tif 000007
【図６】
2014124277.tif 000008
【図７】
2014124277.tif 000009
【図８】
2014124277.tif 000010